(57)【特許請求の範囲】
【請求項１】
受信機内の受信回路に設けられた第１の発振子または論理回路に設けられた第２の発振子から発生する発振周波数が前記受信回路の受信周波数に干渉して前記受信機内の信号ライン，電源ラインのいずれかで発生しているビート妨害を回避するノイズ回避装置であって、
前記信号ライン，前記電源ラインに夫々バイパスコンデンサおよびスイッチ手段を介在させて該スイッチ手段の端部を接地したラインを接続し、
前記信号ライン，電源ラインのいずれかに前記ビート妨害が発生したときに、対応する前記スイッチ手段に所定の制御信号を供給する制御手段を有し、
前記制御手段から供給された前記所定の制御信号により前記スイッチ手段を切り換えて前記ビート妨害が発生した前記信号ライン，電源ラインのいずれかを、対応する前記ラインを介して接地させる、
ことを特徴とするノイズ回避装置。
【請求項２】
受信機内の受信回路に設けられた第１の発振子または論理回路に設けられた第２の発振子から発生する発振周波数が前記受信回路の受信周波数に干渉して前記受信機内の複数の接地ラインのいずれかで発生しているビート妨害を回避するノイズ回避装置であって、
前記接地ライン同士をスイッチ手段を介在させて接続し、
いずれかの接地ラインに前記ビート妨害が発生したときに、前記スイッチ手段に所定の制御信号を供給する制御手段を有し、
前記制御手段から供給された前記所定の制御信号により前記スイッチ手段を切り換えて前記ビート妨害が発生した前記接地ラインの引き回しを変更する、
ことを特徴とするノイズ回避装置。
【請求項３】
受信機内の受信回路に設けられた第１の発振子または論理回路に設けられた第２の発振子から発生する発振周波数が前記受信回路の受信周波数に干渉して前記受信機内の信号ライン，電源ラインまたは複数の接地ラインのいずれかで発生しているビート妨害を回避するノイズ回避装置であって、
前記信号ライン，前記電源ラインに夫々バイパスコンデンサおよびスイッチ手段を介在させて該スイッチ手段の端部を接地したラインを接続し、
前記接地ライン同士をスイッチ手段を介在させて接続し、
前記信号ライン，電源ラインまたは接地ラインのいずれかに前記ビート妨害が発生したときに、対応する前記スイッチ手段に所定の制御信号を供給する制御手段を有し、
前記制御手段から供給された前記所定の制御信号により前記スイッチ手段を切り換えて前記ビート妨害が発生した前記信号ライン，電源ラインのいずれかを、対応する前記ラインを介して接地させ、または前記ビート妨害が発生した前記接地ラインの引き回しを変更する、
ことを特徴とするノイズ回避装置。
【請求項４】
所定の発振周波数を発生させる第１の発振子を有し所定の受信周波数で受信動作を行う受信手段と、
所定の発振周波数を発生させる第２の発振子を有し前記受信手段を制御する制御手段と、
前記制御手段を接地する制御手段接地ラインと、
前記受信手段に第１の電源ラインを介して電源を供給する受信手段用電源手段と、
前記受信手段用電源手段を接地する受信手段用電源手段接地ラインと、
前記受信手段用電源手段と前記制御手段に第２の電源ラインを介して電源を供給するシステム電源手段と、
前記制御手段から前記受信手段に所定の受信手段制御信号を出力する受信手段制御信号供給ラインと、
を備え、
前記第１の電源ラインと前記受信手段用電源手段接地ラインとの間、および、前記制御信号供給ラインと前記制御手段接地ラインとの間を夫々バイパスコンデンサおよびスイッチ手段を介在させて接続し、
前記制御手段は、前記第１の電源ライン、前記受信手段制御信号供給ラインのいずれかに前記ビート妨害が発生したときに、対応する前記スイッチ手段に所定の制御信号を供給して前記スイッチ手段を切り換えて前記ビート妨害が発生した前記第１の電源ラインを前記受信手段用電源手段接地ラインを介して接地させ、あるいは、前記受信手段制御信号供給ラインを前記制御手段接地ラインを介して接地させる、
ことを特徴とするノイズ回避装置。
【請求項５】
所定の発振周波数を発生させる第１の発振子を有し所定の受信周波数で受信動作を行う受信手段と、
前記受信手段を接地する受信手段接地ラインと、
所定の発振周波数を発生させる第２の発振子を有し前記受信手段を制御するとともに所定の制御信号により回路内の所定の制御を行う制御手段と、
前記受信手段に第１の電源ラインを介して電源を供給する受信手段用電源手段と、
前記受信手段用電源手段を接地する受信手段用電源手段接地ラインと、
前記受信手段用電源手段と前記制御手段に第２の電源ラインを介して電源を供給するシステム電源手段と、
前記システム電源手段を接地するシステム電源手段接地ラインと、
前記制御手段から前記受信手段に所定の受信手段制御信号を出力する受信手段制御信号供給ラインと、
を備え、
前記第２の電源ラインと前記受信手段用電源手段接地ラインとの間をバイパスコンデンサおよびスイッチ手段を介在させて接続するとともに、前記受信手段接地ラインと前記システム電源手段接地ラインとの間をスイッチ手段を介在させて接続し、
前記制御手段は、前記第２の電源ライン、前記受信手段用電源手段接地ラインあるいは前記システム電源手段接地ラインのいずれかに前記ビート妨害が発生したときに、対応する前記スイッチ手段に所定の制御信号を供給して前記スイッチ手段を切り換えて前記ビート妨害が発生した前記第２の電源ラインを前記受信手段用電源手段接地ラインを介して接地させ、あるいは、前記受信手段接地ラインと前記システム電源手段接地ラインとを接続させる、
ことを特徴とするノイズ回避装置。
【請求項６】
所定の発振周波数を発生させる第１の発振子を有し所定の受信周波数で受信動作を行う受信手段と、
所定の発振周波数を発生させる第２の発振子を有し前記受信手段を制御する制御手段と、
前記制御手段を接地する制御手段接地ラインと、
前記受信手段に第１の電源ラインを介して電源を供給する受信手段用電源手段と、
前記受信手段用電源手段を接地する受信手段用電源手段接地ラインと、
前記受信手段用電源手段と前記制御手段に第２の電源ラインを介して電源を供給するシステム電源手段と、
前記制御手段から前記受信手段に受信手段制御信号を出力する受信手段制御信号供給ラインと、
前記第１の電源ラインと前記受信手段用電源手段接地ラインとの間、前記第２の電源ラインと前記受信手段用電源手段接地ラインとの間、前記受信手段制御信号供給ラインと前記制御手段接地ラインとの間を夫々バイパスコンデンサおよびスイッチ手段を介在させて接続し、
前記受信手段接地ラインと前記システム電源手段接地ラインとの間をスイッチ手段を介在させて接続し、
前記制御手段は、前記第１の電源ライン、前記第２の電源ライン，前記受信手段制御信号供給ライン、前記受信手段接地ラインあるいは前記システム電源手段接地ラインのいずれかに前記ビート妨害が発生したときに、対応する前記スイッチ手段に所定の制御信号を供給して前記スイッチ手段を切り換えて前記ビート妨害が発生した前記第１の電源ラインを前記受信手段用電源手段接地ラインを介して接地させ、前記第２の電源ラインを前記受信手段用電源手段接地ラインを介して接地させ、前記受信手段制御信号供給ラインと前記制御手段接地ラインを介して接地させ、あるいは、前記受信手段接地ラインと前記システム電源手段接地ラインとを接続させる、
ことを特徴とするノイズ回避装置。
【請求項７】
前記制御手段は、前記受信手段の受信周波数が前記受信手段の発振周波数の逓倍の高調波と一致するとき、前記受信手段制御信号供給ラインと前記制御手段接地ラインとの間に設けられたスイッチ手段および前記受信手段接地ラインと前記システム電源手段接地ラインとの間に設けられたスイッチ手段をオフさせ、前記第１の電源ラインと前記受信手段用電源手段接地ラインとの間に設けられたスイッチ手段および前記第２の電源ラインと前記受信手段用電源手段接地ラインとの間に設けられたスイッチ手段をオンさせるように制御することを特徴とする請求項６に記載のノイズ回避装置。
【請求項８】
前記制御手段は、前記受信手段の受信周波数が前記制御手段の発振周波数の逓倍の高調波と一致するとき、前記受信手段制御信号供給ラインと前記制御手段接地ラインとの間に設けられたスイッチ手段および前記受信手段接地ラインと前記システム電源手段接地ラインとの間に設けられたスイッチ手段をオンさせ、前記第１の電源ラインと前記受信手段用電源手段接地ラインとの間に設けられたスイッチ手段および前記第２の電源ラインと前記受信手段用電源手段接地ラインとの間に設けられたスイッチ手段をオフさせるように制御することを特徴とする請求項６に記載のノイズ回避装置。
【発明の詳細な説明】
【０００１】
【発明の属する技術分野】
本発明は、ノイズ回避装置に関し、特に、ビート妨害のポイントが複数あったとき、どのポイントも完全に妨害を回避することができ、ビート妨害の原因が、あるシステムのクロックが発生する高調波ノイズにあったとき、その原因となる高調波ノイズによるビート妨害を完全に回避することができるノイズ回避装置に関する。
【０００２】
【従来の技術】
例えば、ラジオ受信機において、マイコン等のセット内のシステムのクロックによる発振器や、例えば、ＰＬＬ回路等のクロック発生回路等から輻射される高調波ノイズ（発振周波数の定倍または折り返しの定倍の不要輻射（不要な電磁波）によるノイズ）が、セット内のプリント基板の不特定の配線パターンや空中を伝搬して、チューナパックと干渉してビート妨害を発生する場合がある。
【０００３】
図６は、このようなビート妨害の原因となる高調波ノイズが干渉してしまうチューナパックのブロック図である。図において、１０はアンテナ、２１はチューナパックである。チューナパック２１は、ＲＦ増幅器２１−１と、オシレータ２１−２と、混合器２１−３と、Ｉ／Ｆ２１−４と、ノイズキャンセラ２１−５と、マルチプレクサ２１−６と、から構成されている。以上のチューナパックにおいて、ビート妨害が生じる主な原因としては、このチューナパック２１がスーパヘテロダイン方式であるので、混合回路段で発振子からの高調波と局部発振周波数とが干渉してその差成分も一緒に復調されてノイズとして聞こえるものと考えられる。
【０００４】
このようなビート妨害を回避するための方法として、従来、以下のような方策が講じられている。
（１）バイパスコンデンサを妨害成分が重畳しているライン（通信ライン、電源ライン、ＧＮＤ等）と特定のＧＮＤ（バイパスコンデンサを落として効果のあるＧＮＤ）間に追加するか、チューナ部周辺のＧＮＤの引き回しを変更する。
（２）１つのシステムに発信周波数の違う複数の発振器またはクロック発生回路を持たせ、ラジオ等の各受信周波数において高調波ノイズとの干渉によるビート妨害を起こさない最適な発振周波数を発生させるものを選択させる。
（３）発振子の負荷容量をラジオ等の各受信周波数において高調波ノイズとの干渉によるビート妨害を起こさない最適な発振周波数にさせるように可変させる。
（４）マイコンから出しているクロックにより制御されるシステムにおいて、ラジオ等の各受信周波数において高調波ノイズとの干渉によるビート妨害を起こさないクロックの周波数をマイコンから出力させる。
【０００５】
【発明が解決しようとする課題】
しかしながら、上述したような従来のビート妨害の回避方法によれば、以下のような問題があった。
（１）上記（１）の方法によれば、妨害成分が重畳しているポイント（ビート妨害が発生している受信周波数）が複数あったとき、全ポイントで効果のある対策というのはなかなかなく、あるポイントの対策で上記（１）の手法を用いた対策をしたときに、別のポイントではその対策が逆にデメリットになってしまうことが多いという問題があった。例えば、ＡＨｚでのビート妨害対策で追加したバイパスコンデンサにより、ＡＨｚの高調波成分は除去されるがＢＨｚの高調波には、除去はおろか悪影響をおよぼし、受信周波数ＢＨｚへの妨害の原因が増えるという問題があった。
（２）上記（２）の方法によれば、複数の発振器やクロック発生器を使用しなければならず、基板の実装面積が大きくなったり、部品にコストがかかるというデメリットがあった。
（３）上記（３）の方法によれば、負荷容量の温度依存性やバラツキにより、発振周波数の精度が得られない恐れがあるという問題があった。
（４）上記（４）の方法によれば、マイコンで使っている発振周波数で分周した周波数でしか対応できないため、マイコンの発振周波数のχ倍が必要となるシステムのクロックには使用できないという問題があった。
【０００６】
従って、本発明の目的は、ビート妨害のポイントが複数あったとき、どのポイントも完全に妨害を回避することができるノイズ回避装置を提供することにある。また、本発明の他の目的は、ビート妨害の原因が、あるシステムのクロックが発生する高調波ノイズにあったとき、その原因となる高調波ノイズによるビート妨害を完全に回避することができるノイズ回避装置を提供することにある。
【０００７】
【課題を解決するための手段】
本発明は、上記の目的を達成するため、受信機内の受信回路に設けられた第１の発振子または論理回路に設けられた第２の発振子から発生する発振周波数が前記受信回路の受信周波数に干渉して前記受信機内の信号ライン，電源ラインのいずれかで発生しているビート妨害を回避するノイズ回避装置であって、前記信号ライン，前記電源ラインに夫々バイパスコンデンサ（高調波ノイズ除去手段）およびスイッチ手段を介在させて該スイッチ手段の端部を接地したラインを接続し、前記信号ライン，電源ラインのいずれかに前記ビート妨害が発生したときに、対応する前記スイッチ手段に所定の制御信号を供給する制御手段を有し、前記制御手段から供給された前記所定の制御信号により前記スイッチ手段を切り換えて前記ビート妨害が発生した前記信号ライン，電源ラインのいずれかを、対応する前記ラインを介して接地させる、ことを特徴とするノイズ回避装置を提供するものである。
また、本発明は、上記の目的を達成するため、受信機内の受信回路に設けられた第１の発振子または論理回路に設けられた第２の発振子から発生する発振周波数が前記受信回路の受信周波数に干渉して前記受信機内の複数の接地ラインのいずれかで発生しているビート妨害を回避するノイズ回避装置であって、前記接地ライン同士をスイッチ手段を介在させて接続し、いずれかの接地ラインに前記ビート妨害が発生したときに、対応する前記スイッチ手段に所定の制御信号を供給する制御手段を有し、前記制御手段から供給された前記所定の制御信号により前記スイッチ手段を切り換えて前記ビート妨害が発生した前記接地ラインの引き回しを変更する、ことを特徴とするノイズ回避装置を提供するものである。
また、本発明は、上記の目的を達成するため、受信機内の受信回路に設けられた第１の発振子または論理回路に設けられた第２の発振子から発生する発振周波数が前記受信回路の受信周波数に干渉して前記受信機内の信号ライン，電源ラインまたは複数の接地ラインのいずれかで発生しているビート妨害を回避するノイズ回避装置であって、前記信号ライン，前記電源ラインに夫々バイパスコンデンサおよびスイッチ手段を介在させて該スイッチ手段の端部を接地したラインを接続し、前記接地ライン同士をスイッチ手段を介在させて接続し、前記信号ライン，電源ラインまたは接地ラインのいずれかに前記ビート妨害が発生したときに、対応する前記スイッチ手段に所定の制御信号を供給する制御手段を有し、前記制御手段から供給された前記所定の制御信号により前記スイッチ手段を切り換えて前記ビート妨害が発生した前記信号ライン，電源ラインのいずれかを、対応する前記ラインを介して接地させ、または前記ビート妨害が発生した前記接地ラインの引き回しを変更する、ことを特徴とするノイズ回避装置を提供するものである。
【０００８】
また、本発明は、上記の目的を達成するため、所定の発振周波数を発生させる第１の発振子を有し所定の受信周波数で受信動作を行う受信手段と、所定の発振周波数を発生させる第２の発振子を有し前記受信手段を制御する制御手段と、前記制御手段を接地する制御手段接地ラインと、前記受信手段に第１の電源ラインを介して電源を供給する受信手段用電源手段と、前記受信手段用電源手段を接地する受信手段用電源手段接地ラインと、前記受信手段用電源手段と前記制御手段に第２の電源ラインを介して電源を供給するシステム電源手段と、前記制御手段から前記受信手段に所定の受信手段制御信号を出力する受信手段制御信号供給ラインと、を備え、前記第１の電源ラインと前記受信手段用電源手段接地ラインとの間、および、前記制御信号供給ラインと前記制御手段接地ラインとの間を夫々バイパスコンデンサおよびスイッチ手段を介在させて接続し、前記制御手段は、前記第１の電源ライン、前記受信手段制御信号供給ラインのいずれかに前記ビート妨害が発生したときに、対応する前記スイッチ手段に所定の制御信号を供給して前記スイッチ手段を切り換えて前記ビート妨害が発生した前記第１の電源ラインを前記受信手段用電源手段接地ラインを介して接地させ、あるいは、前記受信手段制御信号供給ラインを前記制御手段接地ラインを介して接地させる、ことを特徴とするノイズ回避装置を提供することにある。
【０００９】
また、本発明は、上記の目的を達成するため、所定の発振周波数を発生させる第１の発振子を有し所定の受信周波数で受信動作を行う受信手段と、前記受信手段を接地する受信手段接地ラインと、所定の発振周波数を発生させる第２の発振子を有し前記受信手段を制御するとともに所定の制御信号により回路内の所定の制御を行う制御手段と、前記受信手段に第１の電源ラインを介して電源を供給する受信手段用電源手段と、前記受信手段用電源手段を接地する受信手段用電源手段接地ラインと、前記受信手段用電源手段と前記制御手段に第２の電源ラインを介して電源を供給するシステム電源手段と、前記システム電源手段を接地するシステム電源手段接地ラインと、前記制御手段から前記受信手段に所定の受信手段制御信号を出力する受信手段制御信号供給ラインと、を備え、前記第２の電源ラインと前記受信手段用電源手段接地ラインとの間をバイパスコンデンサおよびスイッチ手段を介在させて接続するとともに、前記受信手段接地ラインと前記システム電源手段接地ラインとの間をスイッチ手段を介在させて接続し、前記制御手段は、前記第２の電源ライン、前記受信手段接地ラインあるいは前記システム電源手段接地ラインのいずれかに前記ビート妨害が発生したときに、対応する前記スイッチ手段に所定の制御信号を供給して前記スイッチ手段を切り換えて前記ビート妨害が発生した前記第２の電源ラインを前記受信手段用電源手段接地ラインを介して接地させ、あるいは、前記受信手段接地ラインと前記システム電源手段接地ラインとを接続させる、
ことを特徴とするノイズ回避装置を提供するものである。
【００１０】
また、本発明は、上記の目的を達成するため、所定の発振周波数を発生させる第１の発振子を有し所定の受信周波数で受信動作を行う受信手段と、所定の発振周波数を発生させる第２の発振子を有し前記受信手段を制御する制御手段と、前記制御手段を接地する制御手段接地ラインと、前記受信手段に第１の電源ラインを介して電源を供給する受信手段用電源手段と、前記受信手段用電源手段を接地する受信手段用電源手段接地ラインと、
前記受信手段用電源手段と前記制御手段に第２の電源ラインを介して電源を供給するシステム電源手段と、前記制御手段から前記受信手段に受信手段制御信号を出力する受信手段制御信号供給ラインと、前記第１の電源ラインと前記受信手段用電源手段接地ラインとの間、前記第２の電源ラインと前記受信手段用電源手段接地ラインとの間、前記受信手段制御信号供給ラインと前記制御手段接地ラインとの間を夫々バイパスコンデンサおよびスイッチ手段を介在させて接続し、前記受信手段接地ラインと前記システム電源手段接地ラインとの間をスイッチ手段を介在させて接続し、前記制御手段は、前記第１の電源ライン、前記第２の電源ライン，前記受信手段制御信号供給ライン、前記受信手段接地ラインあるいは前記システム電源手段接地ラインのいずれかに前記ビート妨害が発生したときに、対応する前記スイッチ手段に所定の制御信号を供給して前記スイッチ手段を切り換えて前記ビート妨害が発生した前記第１の電源ラインを前記受信手段用電源手段接地ラインを介して接地させ、前記第２の電源ラインを前記受信手段用電源手段接地ラインを介して接地させ、前記受信手段制御信号供給ラインと前記制御手段接地ラインを介して接地させ、あるいは、前記受信手段接地ラインと前記システム電源手段接地ラインとを接続させる、ことを特徴とするノイズ回避装置を提供するものである。
【００１１】
以上の構成において、前記制御手段は、前記受信手段の受信周波数が前記受信手段の発振周波数の逓倍の高調波と一致するとき、前記受信手段制御信号供給ラインと前記制御手段接地ラインとの間に設けられたスイッチ手段および前記受信手段接地ラインと前記システム電源手段接地ラインとの間に設けられたスイッチ手段をオフさせ、前記第１の電源ラインと前記受信手段用電源手段接地ラインとの間に設けられたスイッチ手段および前記第２の電源ラインと前記受信手段用電源手段接地ラインとの間に設けられたスイッチ手段をオンさせるように制御することが望ましい。
【００１２】
また、前記制御手段は、前記受信手段の受信周波数が前記制御手段の発振周波数の逓倍の高調波と一致するとき、前記受信手段制御信号供給ラインと前記制御手段接地ラインとの間に設けられたスイッチ手段および前記受信手段接地ラインと前記システム電源手段接地ラインとの間に設けられたスイッチ手段をオンさせ、前記第１の電源ラインと前記受信手段用電源手段接地ラインの間に設けられたスイッチ手段および前記第２の電源ラインと前記受信手段用電源手段接地ラインとの間に設けられたスイッチ手段をオフさせるように制御することが望ましい。
【００１６】
【発明の実施の形態】
以下、添付図面を参照しながら、本発明の実施の形態を詳細に説明する。
【００１７】
＜第１の実施の形態＞
図１は、本発明の第１の実施の形態によるノイズ回避装置の回路構成を示す図である。
図に示すように、このノイズ回避装置は、アンテナ１０と、チューナ２０と、チューナ２０に電源を供給するチューナ用電源３０と、チューナ２０を制御するマイコン４０と、チューナ用電源３０およびマイコン４０に電源を供給するシステム電源５０と、から構成されている。
【００１８】
以上の構成において、チューナ２０は、チューナパック２１と、ＰＬＬ（Pｈａｓｅ  Ｌｏｃｋｅｄ  Ｌｏｏｐ）回路２２と、ＬＰＦ（Ｌｏｗ−Ｐａｓｓ  Ｆｉｌｔｅｒ）２３とから構成されている。また、ＰＬＬ回路２２には外付発振子２４が、マイコン４０には外付発振子４１がそれぞれ設けられている。
【００１９】
更に、チューナ２０はアースＧＮＤ１に、チューナ用電源３０はアースＧＮＤ２に、マイコン４０はアースＧＮＤ３に、システム電源５０はアースＧＮＤ４にて接地されている。また、チューナ用電源３０からチューナ２０に電源を供給するチューナ用電源ライン１５とアースＧＮＤ３との間にはバイパスコンデンサＣ１とスイッチＳＷ１とが介装されており、システム電源５０からマイコン４０に電源を供給するマイコン用電源ライン１６とアースＧＮＤ３との間にバイパスコンデンサＣ２とスイッチＳＷ２が介装されており、マイコン４０からチューナ２０に制御信号を出力するチューナコントロールライン１７とアースＧＮＤ２との間にはバイパスコンデンサＣ３とスイッチSW３が介装されおり、チューナ２０の接地ラインとシステム電源５０の接地ラインとの間にはスイッチＳＷ４が介装されている。
【００２０】
以上の構成において、例えば、８７．５ＭＨｚ〜１０８．０ＭＨｚの周波数帯域で、以下の受信周波数でビート妨害が発生しているものとする。
（１）ＰＬＬ回路２２の外付発振子２４のクロック周波数を７．２ＭＨｚとしたとき、この７．２ＭＨｚの１３倍の高調波と一致する受信周波数９３．６ＭＨｚ時。
（２）マイコン５０の外付発振子５１のクロック周波数を１０．０ＭＨｚとしたとき、この１０ＭＨｚの１０倍の高調波と一致する受信周波数１００．０ＭＨｚ時。
【００２１】
このような状態において、（１）のビート妨害に対する対策としては、チューナ用電源ライン１５とアースＧＮＤ３の間にバイパスコンデンサＣ１を追加し、マイコン電源ライン１６とアースＧＮＤ３の間にバイパスコンデンサＣ２を追加すると効果がある。（２）のビート妨害に対する対策としては、チューナコントロールライン１７とアースＧＮＤ２の間にバイパスコンデンサＣ３を追加し、アースＧＮＤ１とアースＧＮＤ４をスイッチＳＷ４によってショートさせることにより効果がある。
【００２２】
しかし、（１）のビート妨害に対する対策として追加したバイパスコンデンサＣ１，Ｃ２があると、ビートが悪化してしまい、また、受信周波数が９３．６ＭＨｚの時には、バイパスコンデンサＣ３の存在とアースＧＮＤ１とアースＧＮＤ４のショートがデメリットになってしまう。
【００２３】
そこで、９３．６ＭＨｚの受信周波数時は、チューナ用電源ライン１５とアースＧＮＤ３間のバイパスコンデンサＣ１（１００ｐＦ）およびマイコン用電源ライン１６とアースＧＮＤ３間のバイパスコンデンサＣ２（０．０１μＦ）が必要になるので、マイコン４０はスイッチＳＷ１とスイッチＳＷ２をＯＮさせるためのコントロール信号Ｓ１，Ｓ２を出力させ接地させる。このとき、スイッチＳＷ３とスイッチＳＷ４がＯＦＦとなるコントロール信号Ｓ３，Ｓ４も出力させる。
【００２４】
１００．０ＭＨｚの受信周波数時は、チューナコントロールライン１７とアースＧＮＤ２間のバイパスコンデンサＣ３（４７０ｐＦ）とチューナ２０のアースＧＮＤ１およびシステム電源５０間のショートが必要になるので、マイコン４０はスイッチＳＷ３とスイッチＳＷ４をＯＮさせるコントロール信号Ｓ３，Ｓ４を出力させて接地させ、また、スイッチＳＷ１とスイッチＳＷ２をＯＦＦさせるコントロール信号Ｓ１，Ｓ２を出力させる。
【００２５】
９３．６ＭＨｚ、Ｂ１００．０ＭＨｚ以外の受信周波数時は、マイコン４０はスイッチＳＷ１〜スイッチＳＷ４をＯＦＦさせるコントロール信号Ｓ１〜Ｓ４を出力させる。
【００２６】
以下、図２を参照して、本実施の形態によるノイズ回避装置の動作を説明する。
まず、受信周波数をチューニングし（ステップＳ２１）、受信した周波数の判定を行う（ステップＳ２２）。ここで、受信周波数が９３．６ＭＨｚあるいは１００．０ＭＨｚの場合と９３．６ＭＨｚあるいは１００．０ＭＨｚ以外の場合に分けて判定し、受信周波数が９３．６ＭＨｚあるいは１００．０ＭＨｚの場合（ステップＳ２２の判定：ＮＯ）であって受信周波数が９３．６ＭＨｚの場合、スイッチＳＷ１とスイッチＳＷ２をＯＮさせ、スイッチＳＷ３とスイッチＳＷ４をＯＦＦさせる（ステップＳ２３）。受信周波数が９３．６ＭＨｚあるいは１００．０ＭＨｚの場合（ステップＳ２２の判定：ＮＯ）であって受信周波数が１００．０ＭＨｚの場合、スイッチＳＷ１とスイッチＳＷ２をＯＦＦさせ、スイッチＳＷ３とスイッチＳＷ４をＯＮさせる（ステップＳ２４）。受信周波数が９３．６ＭＨｚあるいは１００．０ＭＨｚ以外の場合は（ステップＳ２２の判定：ＹＥＳ）、スイッチＳＷ１〜スイッチＳＷ４をＯＦＦさせる処理をして（ステップＳ２５）処理を終了させる。
【００２７】
従来、ビートポイントが複数あって対策内容がポイント毎になってしまう場合は、どのポイントも完全な効果の得られず、全部のポイントに平均して効果の得られるような妥協の入った対策をせざるを得なかったが、本実施の形態によるノイズ回避装置によると、受信周波数がＰＬＬ回路２２の外付け発振子２４の発振周波数の逓倍の高調波と一致するとき、スイッチＳＷ１とスイッチＳＷ２をＯＮさせて接地させるとともにスイッチＳＷ３とスイッチＳＷ４をオフさせ、受信周波数がマイコン４０の外付け発振子４１の発振周波数の逓倍の高調波と一致するとき、スイッチＳＷ１とスイッチＳＷ２をＯＦＦさせるとともにスイッチＳＷ３とスイッチＳＷ４をＯＮさせて接地させ、いずれの高調波とも一致しないときは、スイッチＳＷ１〜スイッチＳＷ４をオフさせるようにマイコン４０によって制御するようにしたので、ビートの発生している全ポイントに対し有効な効果を得ることができる。
【００２８】
なお、上記の実施の形態においては、チューナ用電源ライン１５とアースＧＮＤ３との間にバイパスコンデンサＣ１とスイッチＳＷ１を介装し、マイコン用電源ライン１６とアースＧＮＤ３との間にバイパスコンデンサＣ２とスイッチＳＷ２を介装し、チューナコントロールライン１７とアースＧＮＤ２との間にバイパスコンデンサＣ３とスイッチＳＷ３を介装するように構成しているが、これに限定されるものではなく、例えば、チューナ用電源ライン１５とアースＧＮＤ３との間にバイパスコンデンサＣ１とスイッチＳＷ１を、チューナコントロールライン１７とアースＧＮＤ２との間にバイパスコンデンサＣ３とスイッチＳＷ３を介装するだけの構成、あるいは、マイコン用電源ライン１６とアースＧＮＤ３との間にバイパスコンデンサＣ２とスイッチＳＷ２を、チューナ２０の接地ラインとシステム電源５０の接地ラインとの間にスイッチＳＷ４を介装するだけの構成であっても良い。
【００２９】
＜第２の実施の形態＞
図３は、本発明の第２の実施の形態によるノイズ回避装置の構成を示す図である。
図１と同一の内容には同一の符号を付したので重複する説明は省略するが、このノイズ回避装置は、マイコン４０から出力される基準周波数をχ倍して数十ＭＨｚのクロックを作り出すクロック発生回路６０と、クロック発生回路６０により生成されたクロックが供給されるＤＳＰ（Ｄｉｇｉｔａｌ  Ｓｉｇｎａｌ  Ｐｒｏｃｅｓｓｏｒ）ＩＣと、を備えている。ここで、ＤＳＰとは、例えば、ＣＤやＭＤなどのソースからの信号を各音場（スタジオ、ホール等）の音場特性をシミュレートしたものに信号処理を施すものをいう。
【００３０】
図４は、このマイコン４０と、クロック発生回路６０と、ＤＳＰＩＣ７０間におけるクロック供給の関係を説明するブロック図である。
図に示すように、マイコン４０の基準周波数出力ポート（ＲＥＦ）４２からマイコン４０の発振周波数１０ＭＨｚを所定の割合で分周した周波数が出力され、これがクロック発生回路６０の基準周波数入力ポート（ＲＥＦ）６１に入力される。クロック発生回路６０ではこの周波数をχ倍してクロック出力ポート（ＣＫＯ）から出力し、これがＤＳＰＩＣ７０のマスタークロック入力ポート（ＸＴＩ）７１に入力される。
【００３１】
以上の構成において、例えば、マイコン４０の基準周波数出力ポート（ＲＥＦ）４２からマイコン４０の発振周波数１０ＭＨｚを１／２３６分周した周波数４２．３７２ＫＨｚが出力され、これがクロック発生回路６０の基準周波数入力ポート（ＲＥＦ）６１に入力され、クロック発生回路６０ではこの周波数を５１２倍した周波数２１．６９４ＭＨｚをクロック出力ポート（ＣＫＯ）から出力し、これがＤＳＰＩＣ７０のマスタークロック入力ポート（ＸＴＩ）７１に入力されるものとする。
【００３２】
このような状態において、例えば、前述した周波数帯域、即ち、８７．５ＭＨｚ〜１０８．０ＭＨｚの周波数帯域において、ＤＳＰＩＣ７０のマスタークロックである２１．６９４ＭＨｚの１／４の折り返し周波数５．４２３５ＭＨｚの１７倍〜１９倍の周波数の不要輻射と一致してしまう受信周波数時、即ち、１７倍の９２．２ＭＨｚ、１８倍の９７．６ＭＨｚ、１９倍の１０３．０ＭＨｚ、のそれぞれにおいて、不要輻射と干渉してビート妨害が発生する。
【００３３】
そこで、本実施の形態においては、この周波数時はＤＳＰＩＣ７０のマスタークロックが２１．６９４ＭＨｚ付近とならないようにマイコン４０の基準周波数を変化させるか、クロック発生回路６０の倍率を変化させることにより、不要輻射の干渉から回避させて、ビート妨害を発生させなくするようにしている。
【００３４】
具体的には、マイコン４０の基準周波数出力ポート（ＲＥＦ）４２から出力される出力周波数を１／２２６分周に変更してクロック発生回路６０に供給し、クロック発生回路ではこれを５１２倍した周波数２２．６５５ＭＨｚをクロック出力ポート（ＣＫＯ）から出力し、ＤＳＰＩＣ７０のマスタークロック入力ポート（ＸＴＩ）７１に供給する。こうすることにより、２２．６５５ＭＨｚの１／４の折り返し周波数５．６６３７５ＭＨｚの１７倍〜１９倍の周波数の不要輻射は、それぞれ、１７倍の９６．３ＭＨｚ、１８倍の１０２．０ＭＨｚ、１９倍の１０７．７ＭＨｚとなり、受信周波数はこれらの不要輻射と干渉しなくなる。よって、これらの不要輻射の干渉によるビート妨害が発生しない。なお、上記の例では、クロック発生回路６０の倍率を５１２倍としているが、これを３８６倍に変化させるようにしても良い。
【００３５】
以下、図５を参照して、第２の実施の形態によるノイズ回避装置の動作を説明する。
まず、受信周波数をチューニングし（ステップＳ４１）、受信した周波数の判定を行う（ステップＳ４２）。ここで、受信周波数が９２．２ＭＨｚ、９７．６ＭＨｚあるいは１０３．０ＭＨｚの場合と９２．２ＭＨｚ、９７．６ＭＨｚあるいは１０３．０ＭＨｚ以外の場合に分けて判定し、受信周波数が９２．２ＭＨｚ、９７．６ＭＨｚあるいは１０３．０ＭＨｚの場合は（ステップＳ４２の判定：ＮＯ）、マイコン４０の基準周波数出力ポート（ＲＥＦ）４２で分周する分周比を１／２３６から１／２２６に変更（設定）する処理を行う（ステップＳ４３）。受信周波数が９２．２ＭＨｚ、９７．６ＭＨｚあるいは１０３．０ＭＨｚ以外の場合は（ステップＳ４２の判定：ＹＥＳ）、マイコン４０の基準周波数出力ポート（ＲＥＦ）４２で分周する分周比を１／２３６に変更（設定）する処理を行う（ステップＳ４４）。
【００３６】
このように、ビート妨害が発生する受信周波数を選択時に、ビート妨害の原因となる高調波ノイズが発生するシステム（ＤＳＰＩＣ）のクロック周波数を、受信周波数と干渉しない周波数に変更するようにしたので、このシステム（ＤＳＰＩＣ）のクロックが原因となるビート妨害はラジオの全帯域で解消することができる。
【００３７】
【発明の効果】
以上説明したとおり、本発明のノイズ回避装置によれば、受信機内の受信回路に設けられた第１の発振子または論理回路に設けられた第２の発振子から発生する発振周波数が受信回路の受信周波数に干渉して受信機内の信号ライン，電源ラインまたは接地ラインのいずれかで発生しているビート妨害を回避するノイズ回避装置であって、信号ライン，電源ラインまたは接地ラインに所定の制御信号を供給する制御手段と、制御手段から供給された所定の制御信号によりラインをビート妨害が発生していないラインに切り替えて接地する複数のスイッチ手段とを備えるようにしたので、ビート妨害のポイントが複数あったとき、どのポイントも完全にビート妨害を回避することができる。
【００３８】
また、受信機内の所定のシステムを動作させるためのクロック用の発振器またはクロック発生回路から発生する高調波成分の周波数が受信機の受信周波数に干渉して発生するビート妨害に対して、ビート妨害を発生する原因となる高調波成分の周波数の分周比あるいは倍率を変更して受信周波数と干渉しない周波数にずらすようにしたので、ビート妨害の原因が、あるシステムのクロックが発生する高調波ノイズにあったとき、その原因となる高調波ノイズによるビート妨害を完全に回避することができる。
【図面の簡単な説明】
【図１】本発明の第１の実施の形態によるノイズ回避装置の構成を示す図である。
【図２】第１の実施の形態によるノイズ回避装置の動作を説明する図である。
【図３】本発明の第２の実施の形態によるノイズ回避装置の構成を示す図である。
【図４】マイコンとクロック発生回路とＤＳＰＩＣ間におけるクロック供給の関係を説明するブロック図である。
【図５】第２の実施の形態によるノイズ回避装置の動作を説明する図である。
【図６】ビート妨害の原因となる高調波ノイズが干渉してしまうチューナパックのブロック図である。
【符号の説明】
１０    アンテナ
１５    チューナ用電源ライン
１６    マイコン用電源ライン
１７    チューナコントロール信号
２０    チューナ
２１    チューナパック
２２    ＰＬＬ回路
２３    ＬＰＦ（ローパスフィルタ）
２４    発振子
３０    チューナ用電源
４０    マイコン
４１    発振子
５０    システム電源
６０    クロック発生回路
７０    ＤＳＰＩＣ
Ｓ１、Ｓ２、Ｓ３、Ｓ４  コントロール信号
ＳＷ１、ＳＷ２、ＳＷ３、ＳＷ４  スイッチ
Ｃ１、Ｃ２、Ｃ３  バイパスコンデンサ
ＧＮＤ１、ＧＮＤ２、ＧＮＤ３、ＧＮＤ４  アース
【図１】
0004475766.tif 000002
【図２】
0004475766.tif 000003
【図３】
0004475766.tif 000004
【図４】
0004475766.tif 000005
【図５】
0004475766.tif 000006
【図６】
0004475766.tif 000007